(57)【要約】【課題】主に中国などで使われてきた二胡は、演奏時の汎用性が低く、また音響のための構造にも改良の余地があった。【解決手段】二胡における琴杆と琴弦の間隔を、指盤兼棹部を用いる事で狭くして、手にかかる負担を軽減した。また指盤兼棹部に、目盛りと目盛りに対応した数字表記ないしは記号表記を設け、押弦位置の目視確認を可能にした。また琴筒を琴杆が貫くような構造になっていたものを、本発明においてはネック固定部材や腕曲ネック部材を設け、なおかつ共鳴胴の固定方法にも工夫を施す事で、共鳴胴の振動つまり共鳴胴の音響に干渉する要素を排除し、音響面の向上を図った。【選択図】図１
2006293055.tif 000002
【特許請求の範囲】
【請求項１】
任意の形状と構造をもち、正面側に下駒を設けた共鳴胴、及び正面側に弦を止める為の複数個の弦止め穴ないしは弦止め部を設けた下部材、及び該下部材の上部に該共鳴胴を設けるための共鳴胴支持部材及び該共鳴胴を固定するための共鳴胴固定部材、及び任意の長さをもち上部に複数の弦を巻き取るための弦巻部と該弦巻部の正面側下部に設けた上駒と該上駒から下の形状が円ないしは任意の形状ないしは正面側が任意の幅の平面と円の曲線によって構成される指盤兼棹部と該指盤兼棹部に張弦時の各音程位置を表す目盛りと各該目盛りに対応せしめた数字表記ないしは記号表記とによって構成されるネック部材、及び該下駒の正面向かって左側を通りなおかつ該下駒と該共鳴胴に接触しない位置を通り該ネック部材と該下部材とを固定させるネック固定部材によって全体が構成される弦楽器。
【請求項２】
該ネック部材の下部が腕曲し、該下駒の左側を通りなおかつ該下駒と該共鳴胴に接触しない位置を通って該下部材に固定される、該ネック固定部材を必要としない腕曲ネック部材を設ける事を特徴とする請求項１の弦楽器。
【請求項３】
任意の長さをもち、該下駒の上を通り、なおかつ該弦と該共鳴胴との間を通り、請求項１の該ネック固定部材、または請求項２の該ネック部材にネジまたは差込み等着脱可能な方法により設けられる弓毛支持部材をもつ請求項１ないしは請求項２の弦楽器。
【発明の詳細な説明】
【技術分野】
【０００１】
本発明は、弦楽器に関する。
【背景技術】
【０００２】
以下、図６により非特許文献１記載の従来の二胡について説明する。図６において、
２１は琴頭、２２は琴軸、２３は琴杆、２４は琴弦、２５は琴糸、２６は琴筒、２７は琴皮、２８は琴馬、２９は托板、３０は琴弓、３１は弓毛、３２は弓杆である。
【０００３】
従来の二胡の構造は、托板２９に六角形の琴筒２６が据え付けられ，琴杆２３が琴筒２６を貫くように固定されている。托板２９の正面側に２本の琴弦２４を止めるための穴、ないしは弦止め部が設けられている。
【０００４】
琴筒２６の正面側には、琴皮２７が張られ、琴皮２７の中央には琴馬２８が設けられ、琴弦２４の振動を琴皮７に伝える。琴杆２３の上部に琴頭２１、その下に弦を巻き取る琴軸と弦を固定する為の琴糸２５がある。
また特許文献２記載の二胡の楽器本体にフック等を設け、肩掛け等を用いることで、演奏者が立ったまま演奏する方法もある。（例えば、特許文献１参照）
また弓を用いて弦を擦って演奏を行う擦弦楽器において、非特許文献２記載のバイオリンを例にとれば、図７の下駒４５と弓による弦の擦弦位置の間隔４３によって、音量や音質に変化がある。下駒４５と擦弦位置の間隔４３を狭くしていくと、それに伴い音量は大きくなり、豊かな音色をつくる大切な要素である倍音も多くなっていく。つまり擦弦楽器において、下駒と擦弦位置の関係は、音楽表現において重要な要素となる。
【０００５】
【特許文献１】特許公開平１０−２９３５８７号公報
【非特許文献１】「胡弓を弾く  入門講座  テキスト１」発行元  東洋文化院  Ｐ９                                    関  衆（カン  シュウ）著
【非特許文献２】「奏法の哲学」全音楽譜出版社  ２００１年７月２５日発行                                      鈴木  慎一著  Ｐ４４
【発明の開示】
【発明が解決しようとする課題】
【０００６】
以上に述べた非特許文献１記載の従来の二胡は、琴弦２４と琴杆２３の間隔がひらいており、演奏にはそれなりの手の大きさを求められる。つまり、手や指の小さい人は、演奏に際し、手や指を大きく開くことを求められ、その動作が手にとって大きな負担となり、手の筋や関節を痛めることになる。
【０００７】
また琴杆２３が琴筒２６を貫くように固定されている。この構造は、琴筒２６の共鳴を阻害し、音響的効果を著しく減反させる。
【０００８】
また琴筒２６の上部より下に、弓毛３１をもっていくことが出来ず、弓毛３１と琴馬２８の間隔は約４センチひらいている。これは非特許文献２記載のバイオリン等の西洋楽器では、考えられないほど，広い間隔である。
【０００９】
また二胡には指盤がない。なおかつ非特許文献２記載のバイオリンを例にとるならば、図７の上駒４４にあたる部分が琴糸２５である。琴糸２５は通常弦を固定するために幾重にも巻いた凧糸などをさす。この琴糸は、演奏者の腕の長さに応じてその位置を簡単に変えられるよう、凧糸などを用いている。しかし、凧糸のような固定出来ない，小さな衝撃で形を変えてしまうものであるから、演奏者の意図に関係なく、音程位置が変化してしまう。つまり、指盤がなく、琴糸を用いる構造であるが故に、演奏者が正しい音程を演奏するには、聴覚による音程の聞き分けに頼る他無い。これは、楽器演奏経験のない人には、まず不可能なことであり、音程の聞き分けが出来るようになるには、それだけで大変な労力と時間が必要である。
【００１０】
以上に記したように、二胡は汎用性や音響面、及び音楽表現の面からも楽器として改善する余地がある。
【００１１】
本発明は、このような従来の二胡のもつ問題を解決しようとするものであり、汎用性や音響、及び音楽表現に優れた弦楽器を提供することを目的とするものである。
【課題を解決するための手段】
【００１２】
そして、本発明は上記目的を達成するために、第１に任意の形状と構造をもち、正面側に下駒を設けた共鳴胴、及び正面側に弦をとめるための複数個の弦止め穴ないしは弦止め部を設けた下部材、及び該下部材の上部に該共鳴胴を設けるための共鳴胴支持部材及び該共鳴胴を固定するための共鳴胴固定部材、及び任意の長さをもち上部に複数の弦を巻き取るための弦巻部と該弦巻部の正面側下部に設けた上駒と該上駒から下の形状が円ないしは任意の形状ないしは正面側が任意の幅の平面と円の曲線によって構成される指盤兼棹部と該指盤兼棹部に張弦時の各音程位置を表す目盛りと各該目盛りに対応せしめた数字表記ないしは記号表記とによって構成されるネック部材、該下駒の正面向かって左側を通りなおかつ該下駒と該共鳴胴に接触しない位置を通り該ネック部材と該下部材とを固定させるネック固定部材によって全体が構成される弦楽器を提供する。
第２に該ネック部材の下部が腕曲し、該下駒の左側を通りなおかつ該下駒と該共鳴胴に接触しない位置を通って該下部材に固定され、該ネック固定部材を必要としない腕曲ネック部材を設ける事を特徴とする弦楽器を提供する。
第３に任意の長さをもち、該下駒の上を通り、なおかつ該弦と該共鳴胴との間を通り、請求項１の該ネック固定部材、または請求項２の該腕曲ネック部材にネジまたは差込み等着脱可能な方法により設けられる弓毛支持部材をもつ請求項１ないしは請求項２の弦楽器を提供する。
【００１３】
上記解決手段による作用は次の通りである。すなわち、従来の二胡の托板と琴筒にあたる本発明の下部材と共鳴胴とを固定するにあたり、下部材と共鳴胴の間に共鳴胴支持部材を設け、なおかつ共鳴胴を固定するための共鳴胴固定部材を設けた。共鳴胴支持部材や共鳴胴固定部材は、共鳴胴固定のために接触する面積を最小限になさしめる目的で設けられており、共鳴胴の振動つまり共鳴胴の音響を阻害する要素を最小限にとどめ、共鳴胴の振動つまり共鳴胴の音響を向上させた。なおかつ、従来の二胡やバイオリン、その他の弦楽器等において、ネックと共鳴胴が一体になっていたために、共鳴胴の振動つまり共鳴胴の音響を阻害していたものを、ネック固定部材や腕曲ネック部材を設けることで、ネックと共鳴胴を分離させたため、共鳴胴の振動つまり共鳴胴の音響の向上を達成出来た。
また指盤兼棹部を設け、従来の二胡における琴杆と琴弦の間隔を狭くすることで、弦を押さえる必要を軽減した事で、手にかかる負担を最小限にした。
【００１４】
また指盤兼棹部に目盛りを設ける事で、弦を押さえる位置を目視確認出来るようになり、なおかつ目盛りに数字表記ないしは記号表記を設けることで、数字譜やＴＡＢ譜を用いて、譜読み、押弦位置の確認を容易にした。
【００１５】
また，上駒や下駒を設ける事で、押弦位置が一定となり、自分の奏でている音程の正否を気にかける必要を軽減し、演奏表現技術修得に傾注できるようにした。
【００１６】
また、ネック固定部材や腕曲ネック部材を設けることで、弓の毛を下駒に接触させられる位置にまでもっていくことが可能になった。つまり、擦弦位置を演奏者任意で変化させられるようになった事で、より細やかな演奏表現が可能になった。なおかつ、弓の毛を下駒に近づけられるようになったため、二胡よりも豊かな倍音を得られるようになった。
【発明の効果】
【００１７】
上述したように本発明の弦楽器は、二胡の汎用性や音響面，並びに音楽表現も向上させることができた。
【発明を実施するための最良の形態】
【００１８】
図１に基づいて説明する。任意の形状と構造をもち、正面側に下駒を設けた共鳴胴５、及び正面側に弦をとめるための複数個の弦止め穴１１ないしは弦止め部１１を設けた下部材９、及び該下部材９の上部に該共鳴胴５を設けるための共鳴胴支持部材８及び該共鳴胴５を固定するための共鳴胴固定部材７、及び任意の長さをもち上部に複数の弦を巻き取るための弦巻部１と該弦巻部１の正面側下部に設けた上駒２と該上駒２から下の形状が円ないしは任意の形状ないしは正面側が任意の幅の平面と円の曲線によって構成される指盤兼棹部３と該指盤兼棹部３に張弦時の各音程位置を表す目盛り１２と各該目盛り１２に対応せしめた数字表記１３ないしは記号表記１３とによって構成されるネック部材３（番号は該指盤兼棹部と併用）、該下駒６の正面向かって左側を通りなおかつ該下駒６と該共鳴胴５に接触しない位置を通り該ネック部材１０と該下部材９とを固定させるネック固定部材１０によって全体が構成される事を特徴とする弦楽器。
該ネック部材３の下部が腕曲し、該下駒６の左側を通りなおかつ該下駒６と該共鳴胴５に接触しない位置を通って該下部材９に固定され、該ネック固定部材１０を必要としない腕曲ネック部材１５を設けることを特徴とする弦楽器。
任意の長さをもち、該下駒６の上を通り、なおかつ該弦４と該共鳴胴５との間を通り、請求項１の該ネック固定部材１０、または請求項２の該腕曲ネック部材１５にネジまたは差込み等着脱可能な方法により設けられる弓毛支持部材１４をもつ事を特徴とする弦楽器。
【００１９】
以下、図１〜８に基づいて詳細に説明する。
【００２０】
図１において、本発明の解説を行う。１は弦巻部の実施例を記載、２は上駒、３は指盤兼棹部であり、弦巻部１と上駒２と指盤兼棹部３とによってネック部材が構成され，ネック部材の番号は指盤兼棹部と併用する。４は弦、５は共鳴胴であり、図において円筒と円筒正面に共鳴板を設けた実施例を記載。６は下駒、７は共鳴胴固定部材、８は共鳴胴支持部材、９は下部材であり、共鳴胴固定部材７や共鳴胴支持部材８によって、共鳴胴５は下部材９に固定される。１０はネック固定部材であり、これによりネック部材３と下部材９の両者の位置を固定し、なおかつネック部材３と共鳴胴５とを分離する、大切な役割を担っている。１１は複数の弦を止めるための弦止め部であり、弦を止める為の穴や弦止め具を設ける場合もある。１２は目盛りであり、これによりＴＡＢ譜や数字譜を用いて譜読みをする事ができる。１４は弓支持部材であり、弓を自在に操ることが出来ない初心者のために、弓の押し引きというような、運弓の基本動作修得の際に使用する。
図４において、請求項２記載のネック固定部材１０を必要としない腕曲ネック部材１５を記載。
以上、上記構成の使用例を図８において説明する。
演奏者は着席した状態で，左足の腿の上に下部材９を乗せ、左手の人さし指を親指の間に指盤兼棹部３を添えて、力を抜いて弦４の任意の位置を押弦する。押弦の位置は、目盛り１２と目盛り１２に対応した数字譜１３ないしは記号譜１３を手がかりにする。
図８記載の本発明の弦楽器５２は、図１記載の弦楽器を参照にしている。二本の弦４の間に、二胡で使用されている図６の琴弓３０の弓毛３１を通し、指盤兼棹部に手を添えて，二胡と同じ要領で演奏する。弓毛支持部材１４を装着しているときは、弓毛支持部材１４の上に弓毛３１が位置するように、弓毛３１を二本の弦４の間に通す。
【図面の簡単な説明】
【００２１】
【図１】本発明の実施形態を示す正面図
【図２】本発明の弦楽器の正面向かって左側面図
【図３】同の正面向かって左側面図
【図４】請求項２の腕曲ネック部材の実施例を中心に記載した本発明の部分図
【図５】二胡の説明図
【図６】本発明に使用可能な二胡の琴弓の図
【図７】バイオリンの簡略図
【図８】本発明の弦楽器の演奏実施例を記載
【符号の説明】
【００２２】
１  弦巻部
２  上駒
３  指盤兼棹部
４  弦
５  共鳴胴
６  下駒
７  共鳴胴固定部材
８  共鳴胴支持部材
９  下部材
１０  ネック固定部材
１１  弦止め部
１２  目盛り
１３  数字表記ないしは記号表記（図１，２、３，８は数字表記による実施例を記載）
１４  弓毛支持部材
１５  請求項２記載の腕曲ネック部材
２１  琴頭
２２  琴軸
２３  琴杆
２４  琴弦
２５  琴糸
２６  琴筒
２７  琴皮
２８  琴馬
２９  托板
３０  琴弓
３１  弓毛
３２  弓杆
４１  バイオリン
４２  バイオリンの弓
４３  下駒と擦弦位置との間隔
４４  上駒
５１  着席して演奏する演奏者
５２  請求項１を参照にした本発明の実施例
【図１】
2006293055.tif 000003
【図２】
2006293055.tif 000004
【図３】
2006293055.tif 000005
【図４】
2006293055.tif 000006
【図５】
2006293055.tif 000007
【図６】
2006293055.tif 000008
【図７】
2006293055.tif 000009
【図８】
2006293055.tif 000010